(57)【要約】【課題】空気の吸込口または吹出口の開口面積を増加させることが可能な空調装置を提供する。【解決手段】空調装置１Ａは、重ねて配置される循環ファンケース５０及び換気ファンケース６０と、本体ケース４１の一方の角部の内側との間の空間で第１の吸込風路４３ａが構成され、本体ケース４１の他方の角部の内側との間の空間で第２の吸込風路４３ｂが構成される。第１の吸込口２ａは、本体ケース４１及び循環ファンケース５０の形状に合わせて開口し、第１の吸込風路４３ａと連通する。また、第２の吸込口２ｂは、本体ケース４１及び循環ファンケース５０の形状に合わせて開口し、第２の吸込風路４３ｂと連通する。【選択図】        図１
2008025950.tif 000002
【特許請求の範囲】
【請求項１】
空気の吸い込みまたは吹き出しを行う送風手段と、
装置本体を覆う本体ケースの少なくとも一方の角部の内側と、前記送風手段のファンケースとの間の空間で構成された風路と、
前記風路を介して前記送風手段で吸い込まれる空気または前記送風手段から吹き出す空気が通る風路開口部と
を備えたことを特徴とする空調装置。
【請求項２】
前記風路開口部は、前記本体ケース及び前記ファンケースの形状に合わせて開口した
ことを特徴とする請求項１記載の空調装置。
【請求項３】
前記風路は、前記本体ケースの一方の角部の内側に形成される第１の風路と、前記本体ケースの他方の角部の内側に形成される第２の風路とを備え、
前記風路開口部は、前記第１の風路と連通した第１の風路開口部と、前記第２の風路と連通した第２の風路開口部とを備えた
ことを特徴とする請求項１または２記載の空調装置。
【請求項４】
前記送風手段は、
室内の空気を吸い込んで室内に吹き出す循環ファン部と、
前記循環ファン部と重ねて配置され、室内の空気を吸い込んで屋外に吹き出す換気ファン部とを備え、
前記循環ファン部の循環ファンケース及び前記換気ファン部の換気ファンケースと、前記本体ケースとの間に、前記第１の風路と前記第２の風路が形成される
ことを特徴とする請求項３記載の空調装置。
【請求項５】
前記第１の風路及び前記第２の風路を、前記換気ファン部の吸込口と連通させると共に、
前記本体ケースに形成された副吸込口と前記換気ファン部の前記吸込口を連通させた副吸込風路が、前記本体ケースの内側の空間で構成され、
前記第１の風路及び前記第２の風路と、前記副吸込風路を仕切る風路遮蔽部材を備えた
ことを特徴とする請求項４記載の空調装置。
【請求項６】
前記第１の風路開口部を開閉する第１の風路開閉部材と、
前記第２の風路開口部を開閉する第２の風路開閉部材と、
前記第１の風路開口部と前記第２の風路開口部との間に配置され、前記第１の風路開閉部材と前記第２の風路開閉部材を駆動する駆動部とを備えた
ことを特徴とする請求項３，４または５記載の空調装置。
【請求項７】
前記駆動部は、
前記第１の風路開閉部材または前記第２の風路開閉部材の一方に駆動力を伝達する駆動手段と、
前記第１の風路開閉部材または前記第２の風路開閉部材の一方に伝達された駆動力を、前記第１の風路開閉部材または前記第２の風路開閉部材の他方に伝達する駆動力伝達手段とを備えた
ことを特徴とする請求項６記載の空調装置。
【発明の詳細な説明】
【技術分野】
【０００１】
本発明は、室内の空気調和または換気のどちらか一方あるいは双方を行う空調装置に関する。
【背景技術】
【０００２】
従来より、浴室等から空気を吸い込み、屋外へ排出する換気機能と、浴室等から空気を吸い込み、温風等を吹き出して暖房等を行う機能を備えた浴室用の空調装置が提案されている。
【０００３】
このような浴室用の空調装置では、循環用のファンの上側に換気用のファンを重ねた構成で、換気用ファン及び循環用のファンのファンケースの外側に、換気用のファンへの風路を形成する風路形成部材を備えていた（例えば、特許文献１参照）。
【０００４】
【特許文献１】特開２００４−１２５３７３号公報（図３）
【発明の開示】
【発明が解決しようとする課題】
【０００５】
浴室用の空調装置のように、循環用のファンと換気用のファン等、２個のファンを重ねて配置する構成では、ファンを片側に寄せて配置することで、上側に配置されるファンへの風路を確保していた。
【０００６】
しかし、装置本体の大きさやファンの大きさの制約から、風路の開口部を大きくすることは困難であった。
【０００７】
このため、従来の空調装置では、必要とされる風量を確保するために、ファンの回転数を増加させる必要があり、騒音が増大していた。
【０００８】
本発明は、このような課題を解決するためになされたもので、空気の吸込口または吹出口の開口面積を増加させることが可能な空調装置を提供することを目的とする。
【課題を解決するための手段】
【０００９】
上述した課題を解決するため、本発明の空調装置は、空気の吸い込みまたは吹き出しを行う送風手段と、装置本体を覆う本体ケースの少なくとも一方の角部の内側と、送風手段のファンケースとの間の空間で構成された風路と、風路を介して送風手段で吸い込まれる空気または送風手段から吹き出す空気が通る風路開口部とを備えたことを特徴とする。
【００１０】
本発明の空調装置では、送風手段で風路開口部から吸い込まれる空気または送風手段で風路開口部から吹き出す空気は、本体ケースの少なくとも一方の角部の内側とファンケースとの間に形成される空間を風路として通る。
【発明の効果】
【００１１】
本発明の空調装置によれば、本体ケースの少なくとも一方の角部の内側とファンケースとの間の空間で風路を構成したので、風路開口部の開口面積を増加させることができ、送風手段で吸い込まれる空気または送風手段から吹き出す空気の風量を増加させることができる。
【００１２】
また、装置本体を大型化することなく、複数の風路及び風路開口部を形成することが可能であり、風量を増加させることができる。
【発明を実施するための最良の形態】
【００１３】
以下、図面を参照して本発明の空調装置の実施の形態について説明する。
【００１４】
＜本実施の形態の空調装置の構成例＞
図１及び図２は、本実施の形態の空調装置の一例を示す斜視図、図３は、本実施の形態の空調装置の一例を示す平面図、図４は、本実施の形態の空調装置の一例を示す側断面図である。
【００１５】
本実施の形態の空調装置１Ａは、風量調整装置２と、送風手段の一例である循環ファンユニット５と換気ファンユニット６を備える。
【００１６】
空調装置１Ａは、シャーシ４０の上部に循環ファンユニット５と換気ファンユニット６が重ねて取り付けられる。また、空調装置１Ａは、循環ファンユニット５と換気ファンユニット６を覆う直方体形状の本体ケース４１がシャーシ４０に取り付けられる。
【００１７】
循環ファンユニット５は循環ファン部の一例で、風路を形成する循環ファンケース５０と、回転駆動されるファン５１等を備える。循環ファンケース５０は、ファン５１が回転駆動されることで発生する空気の流れを、ファン５１の接線方向に形成した吹出部に導く円形の形状を有し、シャーシ４０に取り付けられる。
【００１８】
循環ファンユニット５は、ファン５１の軸方向に沿った下面のシャーシ４０に吸込口５２が形成される。また、循環ファンユニット５は、循環ファンケース５０の吹出部に吹出口ユニット５３が接続される。
【００１９】
吹出口ユニット５３は、シャーシ４０に取り付けられ、吹出口５３ａに電動ルーバ５４を備えると共に、風路中に図示しないヒータを備える。電動ルーバ５４は、風向調整板５４ａと、風向調整板５４ａを駆動するモータ５４ｂと、モータ５４ｂの駆動力を風向調整板５４ａに伝達する図示しない駆動力伝達機構を備える。
【００２０】
これにより、循環ファンユニット５は、ファン５１が回転駆動されると、吸込口５２から空気を吸い込んで、吹出口ユニット５３の吹出口５３ａから吹き出す空気の流れを生成する。
【００２１】
換気ファンユニット６は換気ファン部の一例で、風路を形成する換気ファンケース６０と、回転駆動されるファン６１等を備える。換気ファンケース６０は、ファン６１が回転駆動されることで発生する空気の流れを、ファン６１の接線方向に形成した吹出部６０ａに導く円形の形状を有し、吹出部６０ａを吹出口ユニット５３と反対側に向け、循環ファンケース５０の上に載せてシャーシ４０に取り付けられる。
【００２２】
換気ファンユニット６は、ファン６１の軸方向に沿った換気ファンケース６０の上面に吸込口６２が形成される。
【００２３】
これにより、換気ファンユニット６は、ファン６１が回転駆動されると、吸込口６２から空気を吸い込んで、吹出部６０ａから排出する空気の流れを生成する。
【００２４】
空調装置１Ａは、シャーシ４０の下部に風量調整装置２が取り付けられる。風量調整装置２は、図３に示すように、第１の吸込口２ａと、第１の吸込口２ａを開閉する第１のダンパ２０ａと、第２の吸込口２ｂと、第２の吸込口２ｂを開閉する第２のダンパ２０ｂと、第１のダンパ２０ａと第２のダンパ２０ｂを駆動するダンパ駆動部３を備える。
【００２５】
第１の吸込口２ａは第１の風路開口部の一例で、第１のダンパ２０ａが回転軸２３ａを回転支点に回動して開閉される。第２の吸込口２ｂは第２の風路開口部の一例で、第２のダンパ２０ｂが回転軸２３ｂを回転支点に回動して開閉される。
【００２６】
空調装置１Ａは、循環ファンユニット５の循環ファンケース５０及び換気ファンユニット６の換気ファンケース６０の外周部と、本体ケース４１の一方の角部の内面との間に、上下方向に延びる空間４２ａが形成され、風量調整装置２は、空間４２ａの下部に第１の吸込口２ａが配置される。
【００２７】
また、空調装置１Ａは、循環ファンケース５０及び換気ファンケース６０の外周部と、本体ケース４１の他方の角部の内面との間に、上下方向に延びる空間４２ｂが形成され、風量調整装置２は、空間４２ｂの下部に第２の吸込口２ｂが配置される。
【００２８】
これに対して、循環ファンケース５０及び換気ファンケース６０の外周部と、本体ケース４１の内面との間に空間が形成されない循環ファンケース５０の下部に、ダンパ駆動部３が配置される。
【００２９】
これにより、空調装置１Ａは、風量調整装置２の第１の吸込口２ａから、循環ファンケース５０及び換気ファンケース６０の外周部と本体ケース４１の一方の角部の内面との間に形成される空間４２ａを通り、換気ファンユニット６の吸込口６２と連通した第１の吸込風路４３ａが形成される。
【００３０】
また、空調装置１Ａは、風量調整装置２の第２の吸込口２ｂから、循環ファンケース５０及び換気ファンケース６０の外周部と本体ケース４１の他方の角部の内面との間に形成される空間４２ｂを通り、換気ファンユニット６の吸込口６２と連通した第２の吸込風路４３ｂが形成される。
【００３１】
第１の風路の一例である第１の吸込風路４３ａを構成する空間４２ａと、第２の風路の一例である第２の吸込風路４３ｂを構成する空間４２ｂは、循環ファンケース５０及び換気ファンケース６０の外周部に沿って形成されるため、１面が凹状に湾曲した略三角柱状の空間となる。
【００３２】
このため、風量調整装置２の第１の吸込口２ａと第２の吸込口２ｂは、空間４２ａ及び空間４２ｂの形状に合わせて、１辺が凹状に湾曲した略台形状として、開口面積が広くなるようにしている。
【００３３】
ここで、換気ファンケース６０は、第１の吸込風路４３ａを通る空気の風量を確保するため、吹出部６０ａが形成される部位を例えば直線状に構成して、空間４２ａを拡げている。
【００３４】
空調装置１Ａは、本体ケース４１の側面に、換気ファンユニット６の吹出部６０ａと連通した排気口４４を備える。また、本体ケース４１の他の側面に、副吸込口４５を備える。これにより、空調装置１Ａは、副吸込口４５から、換気ファンユニット６の吸込口６２と連通した副吸込風路４６が形成される。
【００３５】
ここで、副吸込風路４６と第２の吸込口２ｂを仕切り、副吸込風路４６を通る空気が第２の吸込口２ｂから漏れないようにするため、換気ファンケース６０の側面に、本体ケース４１の内面と当接する風路遮蔽板６０ｂを備える。なお、第１の吸込口２ａ側は、例えば、換気ファンケース６０の吹出部６０ａの一部を本体ケース４１の内面と当接する構成として、風路を遮蔽する機能を持たせる。
【００３６】
空調装置１Ａは、シャーシ４０の下部にフロントパネル７が取り付けられる。フロントパネル７は、循環ファンユニット５の吸込口５２と、風量調整装置２の第１の吸込口２ａ及び第２の吸込口２ｂと対向して吸込グリル７０が形成され、吸込グリル７０の内側に、フィルタ７１が着脱できるように取り付けられる。
【００３７】
また、フロントパネル７は、吹出口ユニット５３の吹出口５３ａが露出する開口部が形成される。
【００３８】
ここで、第１のダンパ２０ａ及び第２のダンパ２０ｂを開くと、図４に示すように、風量調整装置２の下面から第１のダンパ２０ａ及び第２のダンパ２０ｂの一部が突出する。フロントパネル７の高さを抑えるため、フィルタ７１と風量調整装置２の下面との間の隙間は狭く構成されているので、フィルタ７１の取付位置を、第１のダンパ２０ａの回転軸２３ａ及び第２のダンパ２０ｂの回転軸２３ｂ付近までとして、フィルタ７１が、第１のダンパ２０ａ及び第２のダンパ２０ｂの開閉の妨げにならないようにしている。
【００３９】
空調装置１Ａは、本体ケース４１内に基板ボックス４７を備える。基板ボックス４７は、循環ファンユニット５及び換気ファンユニット６のファンモータ、風量調整装置２のダンパ駆動部３等の制御、図示しない温度センサの出力の処理等を行なう図示しない基板が実装される。
【００４０】
＜本実施の形態の風量調整装置の構成例＞
図５は、本実施の形態の風量調整装置の一例を示す外観斜視図、図６は、本実施の形態の風量調整装置の一例を示す分解斜視図、図７は、本実施の形態の風量調整装置の平面図、図８は、本実施の形態の風量調整装置のＡ−Ａ断面図、図９は、本実施の形態の風量調整装置のＢ−Ｂ断面図であり、次に、空調装置１Ａに備えた風量調整装置２の構成について説明する。
【００４１】
本実施の形態の風量調整装置２は、上述したように、第１の吸込口２ａを開閉する第１のダンパ２０ａと、第２の吸込口２ｂを開閉する第２のダンパ２０ｂと、第１のダンパ２０ａと第２のダンパ２０ｂを駆動するダンパ駆動部３を備える。
【００４２】
第１の吸込口２ａは、第１のダンパフレーム２１ａに所定の形状の開口を形成して構成される。第２の吸込口２ｂは、第２のダンパフレーム２１ｂに所定の形状の開口を形成して構成される。
【００４３】
第１のダンパフレーム２１ａと第２のダンパフレーム２１ｂは、第１の吸込口２ａと第２の吸込口２ｂの間にダンパ駆動部３の収納部２２を備え、第１の吸込口２ａと第２の吸込口２ｂの間にダンパ駆動部３が配置される。
【００４４】
第１のダンパフレーム２１ａと第２のダンパフレーム２１ｂは、本例では収納部２２の形成箇所で分割された構成で、例えばネジ２１ｄにより一体とすることで、収納部２２が形成される。
【００４５】
第１のダンパ２０ａは第１の風路開閉部材の一例で、第１の吸込口２ａの形状に合わせて所定の形状を有した平板状の部材であり、本例では長手方向に回転軸２３ａを備え、回転軸２３ａを回転支点に回動して、第１の吸込口２ａを開閉する。ここで、回転軸２３ａは、第１のダンパ２０ａの短手方向の一端側に偏らせて配置される。
【００４６】
第１のダンパ２０ａは、回転軸２３ａの一方の端部側に軸部２４ａが形成されると共に、他方の端部側に軸嵌合部２５ａが形成され、軸部２４ａが、第１のダンパフレーム２１ａに形成された軸受け部２６ａに軸支される。
【００４７】
第２のダンパ２０ｂは第２の風路開閉部材の一例で、第２の吸込口２ｂの形状に合わせて所定の形状を有した平板状の部材であり、本例では長手方向に回転軸２３ｂを備え、回転軸２３ｂを回転支点に回動して、第２の吸込口２ｂを開閉する。ここで、回転軸２３ｂは、第２のダンパ２０ｂの短手方向の一端側に偏らせて配置される。
【００４８】
第２のダンパ２０ｂは、回転軸２３ｂの一方の端部側に軸部２４ｂが形成されると共に、他方の端部側に軸嵌合部２５ｂが形成され、軸部２４ｂが、第２のダンパフレーム２１ｂに形成された軸受け部２６ｂに軸支される。
【００４９】
ダンパ駆動部３は駆動部の一例で、回転駆動されるモータ３０と、モータ３０の駆動力を第１のダンパ２０ａと第２のダンパ２０ｂの双方に伝達する駆動力伝達機構３１を備え、第１の吸込口２ａと第２の吸込口２ｂの間の収納部２２に組み込まれる。
【００５０】
モータ３０は駆動手段の一例で、回転駆動される軸３０ａが一方の側に突出した片軸タイプのモータで、本例ではステッピングモータで構成される。
【００５１】
駆動力伝達機構３１は駆動力伝達手段の一例で、モータ３０の駆動力を第１のダンパ２０ａに伝達する第１のリンク機構３２ａと、第１のリンク機構３２ａに伝達されたモータ３０の駆動力を第２のダンパ２０ｂに伝達する第２のリンク機構３２ｂを備える。
【００５２】
第１のリンク機構３２ａは第１の伝達部材の一例で、第１のダンパ２０ａの回転軸２３ａに形成した軸嵌合部２５ａに嵌められ、収納部２２の一方の側壁部に形成された軸受け部２２ａに軸支される軸部３３ａを備える。また、第１のリンク機構３２ａは、モータ３０に対して外側に突出して第２のリンク機構３２ｂと接続され、軸部３３ａを回転支点に揺動する第１のリンク部３４ａを備える。更に、第１のリンク機構３２ａは、軸部３３ａと同軸上に形成され、モータ３０の軸３０ａが嵌められる軸嵌合部３５ａを備える。
【００５３】
第２のリンク機構３２ｂは第２の伝達部材の一例で、第２のダンパ２０ｂの回転軸２３ｂに形成した軸嵌合部２５ｂに嵌められ、収納部２２の他方の側壁部に形成された軸受け部２２ｂに軸支される軸部３３ｂを備える。また、第２のリンク機構３２ｂは、モータ３０に対して外側に突出して第１のリンク機構３２ａと接続され、軸部３３ｂを回転支点に揺動する第２のリンク部３４ｂを備える。
【００５４】
第１のダンパフレーム２１ａは、第１のダンパ２０ａの回転軸２３ａを軸支する軸受け部２６ａと、第１のリンク機構３２ａを軸支する収納部２２の軸受け部２２ａが同軸上に形成される。また、第２のダンパフレーム２１ｂは、第２のダンパ２０ｂの回転軸２３ｂを軸支する軸受け部２６ｂと、第２のリンク機構３２ｂを軸支する収納部２２の軸受け部２２ｂが同軸上に形成される。更に、収納部２２の軸受け部２２ａと軸受け部２２ｂが同軸上に配置される。
【００５５】
これにより、第１のダンパ２０ａの回転軸２３ａと第２のダンパ２０ｂの回転軸２３ｂが同軸上に配置され、更に、第１のダンパ２０ａの回転軸２３ａ及び第２のダンパ２０ｂの回転軸２３ｂと、モータ３０の軸３０ａが同軸上に配置される。
【００５６】
図１０は、駆動力伝達機構の詳細を示す構成図である。第１のリンク機構３２ａの第１のリンク部３４ａは、モータ３０の外側を通って第２のリンク機構３２ｂの第２のリンク部３４ｂまで延在するアーム部３４ｃを備え、第１のリンク部３４ａと第２のリンク部３４ｂの連結部３４ｄは、凹部と凸部が嵌る構成で、第１のダンパ２０ａの回転軸２３ａ及び第２のダンパ２０ｂの回転軸２３ｂを回転支点とした揺動方向に駆動力が伝達される。
【００５７】
図８に戻り、第１のリンク機構３２ａは、軸部３３ａがＯリング３６を介して収納部２２の軸受け部２２ａに軸支され、軸受け部２２ａから収納部２２への水分等の浸入を防ぐ。同様に、第２のリンク機構３２ｂは、軸部３３ｂがＯリング３６を介して収納部２２の軸受け部２２ｂに軸支され、軸受け部２２ｂから収納部２２への水分等の浸入を防ぐ。
【００５８】
第１の吸込口２ａは、第１のダンパ２０ａと当接する固着防止凸部２７ａを備える。図１１は、固着防止凸部の詳細を示す断面図である。固着防止凸部２７ａは例えば略三角形の断面形状を有し、回転軸２３ａを回転支点に回動して、第１の吸込口２ａを閉じた第１のダンパ２０ａと対向する面に突出する。固着防止凸部２７ａは、閉じた第１のダンパ２０ａの面と当接する位置に、第１の吸込口２ａの開口形状に沿って形成され、第１の吸込口２ａと閉じた第１のダンパ２０ａを、面同士ではなく線で接触させて、接触面積を減少させている。
【００５９】
第２の吸込口２ｂは、第１の吸込口２ａと同様に、第２のダンパ２０ｂと当接する固着防止凸部２７ｂを備える。固着防止凸部２７ｂは、図１１に示すように、例えば略三角形の断面形状を有し、回転軸２３ｂを回転支点に回動して、第２の吸込口２ｂを閉じた第２のダンパ２０ｂと対向する面に突出する。固着防止凸部２７ｂは、閉じた第２のダンパ２０ｂの面と当接する位置に、第２の吸込口２ｂの開口形状に沿って形成され、第２の吸込口２ｂと閉じた第２のダンパ２０ｂを、面同士ではなく線で接触させて、接触面積を減少させている。
【００６０】
風量調整装置２は、第１のダンパ２０ａ及び第２のダンパ２０ｂが正常に開いたか否かを検出する開閉検出センサ３７を備える。開閉検出センサ３７は、本例では磁気近接スイッチで構成され、第１のリンク機構３２ａに取り付けられたマグネット３７ａを検出する。
【００６１】
また、風量調整装置２は、分割された第１のダンパフレーム２１ａと第２のダンパフレーム２１ｂの接合部２２ｃに配線導入部２２ｄを備える。配線導入部２２ｄは、第１のダンパフレーム２１ａと第２のダンパフレーム２１ｂの接合部２２ｃで対向する箇所をそれぞれ半円形に開口し、リング状のゴム材等を取り付けて構成され、モータ３０に接続される配線及び開閉検出センサ３７に接続される配線が導入される。
【００６２】
更に、風量調整装置２は、本例では第２のダンパフレーム２１ｂに配線止め部２１ｃを備える。配線止め部２１ｃは、配線導入部２２ｄに導入される配線を、第２のダンパフレーム２１ｂに沿って固定する。
【００６３】
風量調整装置２の第１のダンパフレーム２１ａと第２のダンパフレーム２１ｂは、第１の吸込口２ａと第２の吸込口２ｂの形状に合わせて、図３に示すように循環ファンユニット５の吸込口５２と対向する面が凹状に湾曲した形状として、吸込口５２を塞がず、吸込口５２から吸い込まれる空気の流れを妨げないようにしている。そして、風量調整装置２への図示しない配線を第２のダンパフレーム２１ｂに沿って固定することで、循環ファンユニット５の吸込口５２や、第２の吸込口２ｂ等に、配線が絡まないようにしている。
【００６４】
＜本実施の形態の空調装置の設置例＞
図１２は、空調装置の設置例を示す浴室の構成図である。空調装置１Ａは、浴室１００の天井に設置される。浴室１００の天井パネルには、図１等で説明した空調装置１Ａの本体ケース４１が入る開口部が形成され、空調装置１Ａは、フロントパネル７が露出するようにして、天井裏から吊り下げる形態、あるいは天井パネルに固定する形態等で取り付けられる。
【００６５】
浴室１００の天井に取り付けられた空調装置１Ａは、排気口４４に排気ダクトジョイント４４ａが取り付けられ、排気ダクトジョイント４４ａに排気ダクト８０が接続される。排気ダクト８０は、図示しない建物の外壁１０１に取り付けた屋外グリル８０ａに接続され、空調装置１Ａで浴室１００等から吸い込んだ空気を、排気ダクト８０を介して屋外に排気できる構成となっている。
【００６６】
また、空調装置１Ａは、副吸込口４５に副吸込ダクトジョイント４５ａが取り付けられ、副吸込ダクトジョイント４５ａに副吸込ダクト８１が接続される。副吸込ダクト８１は、洗面所１０２に設置された副吸込グリル８１ａに接続されて、洗面所１０２から空気を吸い込める構成となっている。なお、副吸込グリル８１ａは、図示しないトイレに備えても良い。
【００６７】
空調装置１Ａは、洗面所１０２に設置された操作部９の操作で、例えば、暖房運転モード、換気運転モード、乾燥運転モード及び涼風運転モードを実行する。
【００６８】
暖房運転モードとは、風量調整装置２の動作で第１の吸込口２ａ及び第２の吸込口２ｂを閉じ、循環ファンユニット５と吹出口ユニット５３の動作で浴室１００に温風を吹き出す運転モードである。
【００６９】
換気運転モードとは、風量調整装置２の動作で第１の吸込口２ａ及び第２の吸込口２ｂを開き、換気ファンユニット６の動作で浴室１００及び他室の換気を行う運転モードである。
【００７０】
乾燥運転モードとは、風量調整装置２の動作で第１の吸込口２ａ及び第２の吸込口２ｂを開き、循環ファンユニット５と吹出口ユニット５３の動作で浴室１００に温風を吹き出しながら、換気ファンユニット６の動作で浴室１００の換気を行う運転モードである。
【００７１】
涼風運転モードとは、風量調整装置２の動作で第１の吸込口２ａ及び第２の吸込口２ｂを閉じ、循環ファンユニット５と吹出口ユニット５３の動作で浴室１００に送風を吹き出す運転モードである。
【００７２】
＜本実施の形態の空調装置の動作例＞
図１３は、本実施の形態の空調装置における換気風路を示す動作説明図で、次に、各図を参照して本実施の形態の空調装置１Ａの動作について説明する。
【００７３】
空調装置１Ａは、換気運転モード及び乾燥運転モード等、浴室１００及び他室の換気を行う運転モードでは、風量調整装置２の動作で第１のダンパ２０ａ及び第２のダンパ２０ｂを作動させ、第１の吸込口２ａと第２の吸込口２ｂを開く。
【００７４】
換気ファンユニット６は、ファン６１が回転駆動されると、吸込口６２から空気を吸い込んで、吹出部６０ａから排出する空気の流れを生成する。
【００７５】
これにより、図１２に示す浴室１００の空気が、フロントパネル７の吸込グリル７０を介して、図１３（ａ）に示すように、第１の吸込口２ａから第１の吸込風路４３ａを通って換気ファンユニット６に吸い込まれる。
【００７６】
また、図１２に示す浴室１００の空気が、フロントパネル７の吸込グリル７０を介して、図１３（ｂ）に示すように、第２の吸込口２ｂから第２の吸込風路４３ｂを通って換気ファンユニット６に吸い込まれる。
【００７７】
更に、図１２に示す洗面所１０２の空気及び図示しないトイレの空気が、副吸込グリル８１ａ及び副吸込ダクト８１を介して、図１３に示すように、副吸込口４５から副吸込風路４６を通って換気ファンユニット６に吸い込まれる。
【００７８】
換気ファンユニット６に吸い込まれた空気は、図１３（ａ）に示すように、排気口４４から排出され、図１２に示す排気ダクト８０及び屋外グリル８０ａを介して屋外へ排出される。
【００７９】
このように、空調装置１Ａでは、循環ファンユニット５の循環ファンケース５０及び換気ファンユニット６の換気ファンケース６０の外周部と、本体ケース４１の一方の角部の内面との間の空間４２ａを利用して、第１の吸込風路４３ａを形成している。
【００８０】
また、循環ファンケース５０及び換気ファンケース６０の外周部と、本体ケース４１の他方の角部の内面との間の空間４２ｂを利用して、第２の吸込風路４３ｂを形成している。
【００８１】
これにより、空気の吸込口として、第１の吸込口２ａと第２の吸込口２ｂを形成することができ、空気の吸込口を２箇所に備えることが可能となる。従って、本体ケース４１を大型化することなく、浴室１００からの空気の吸込口の開口面積を増加させることができる。
【００８２】
このように、空気の吸込口の開口面積を増加させることで、浴室１００からの吸込風量を増加させることができ、換気ファンユニット６のファン回転数を上げることなく、必要とされる換気風量を確保できる。
【００８３】
また、換気風量を低下させることなく、ファン回転数を低く抑えることができることから、低騒音化が可能となる。更に、換気ファンユニット６の吸込口６２が上方を向いていることで、第１の吸込口２ａ及び第２の吸込口２ｂからの音漏れを抑制することが可能である。
【００８４】
また、浴室１００からの吸込風速が低く抑えられるため、騒音の原因となる渦や空気流の剥離等の発生が抑制される。
【００８５】
更に、浴室１００からの空気の吸込口の開口面積を増加させることで、浴室１００からの吸気圧損を低下させることができる。
【００８６】
＜本実施の形態の風量調整装置の動作例＞
図１４及び図１５は、本実施の形態の風量調整装置におけるダンパ開閉の動作説明図で、次に、各図を参照して本実施の形態の風量調整装置２の動作例について説明する。
【００８７】
風量調整装置２を備えた空調装置１Ａは、暖房運転モード等の浴室１００の換気を行わない運転モードでは、風量調整装置２の動作で第１のダンパ２０ａ及び第２のダンパ２０ｂを作動させ、第１の吸込口２ａと第２の吸込口２ｂを閉じる。
【００８８】
すなわち、ダンパ駆動部３のモータ３０がダンパを閉じる所定の方向に所定の角度回転するように回転駆動されると、モータ３０の軸３０ａに取り付けられた第１のリンク機構３２ａは、軸部３３ａを回転支点に回動する。
【００８９】
第１のリンク機構３２ａは、軸部３３ａに第１のダンパ２０ａの回転軸２３ａが取り付けられており、モータ３０が所定の方向に回転駆動されることで、第１のダンパ２０ａは、回転軸２３ａを回転支点に回動して、図１４に示すように第１の吸込口２ａを閉じる。
【００９０】
第１リンク機構３２ａは、連結部３４ｄで第２のリンク機構３２ｂと連結されており、第１のリンク機構３２ａが軸部３３ａを回転支点に回動して、第１のリンク部３４ａが揺動すると、第２のリンク部３４ｂに駆動力が伝達され、第２のリンク機構３２ｂは、軸部３３ｂを回転支点に回動する。
【００９１】
第２のリンク機構３２ｂは、軸部３３ｂに第２のダンパ２０ｂの回転軸２３ｂが取り付けられており、モータ３０が所定の方向に回転駆動されることによる第１のダンパ２０ａの動作と連動して、第２のダンパ２０ｂは、回転軸２３ｂを回転支点に回動して、図１４に示すように第２の吸込口２ｂを閉じる。
【００９２】
ここで、第１のダンパ２０ａで第１の吸込口２ａを閉じると、第１のダンパ２０ａは、図１１に示すように固着防止凸部２７ａに当接する。これにより、第１の吸込口２ａを閉じた状態では、第１のダンパ２０ａと第１の吸込口２ａは、少ない接触面積で当接した状態となる。
【００９３】
同様に、第２のダンパ２０ｂで第２の吸込口２ｂを閉じると、第２のダンパ２０ｂは、固着防止凸部２７ｂに当接する。これにより、第２の吸込口２ｂを閉じた状態では、第２のダンパ２０ｂと第２の吸込口２ｂは、少ない接触面積で当接した状態となる。
【００９４】
上述したように、空調装置１Ａは、換気運転モード及び乾燥運転モード等、浴室１００及び他室の換気を行う運転モードでは、風量調整装置２の動作で第１のダンパ２０ａ及び第２のダンパ２０ｂを作動させ、第１の吸込口２ａと第２の吸込口２ｂを開く。
【００９５】
すなわち、ダンパ駆動部３のモータ３０がダンパを開く所定の方向に所定の角度回転するように回転駆動されると、上述したようにモータ３０の駆動力が直接伝達される第１のリンク機構３２ａに取り付けられた第１のダンパ２０ａが回転軸２３ａを回転支点に回動して、図１５に示すように第１の吸込口２ａを開く。
【００９６】
第２のリンク機構３２ｂは、第１のリンク機構３２ａからモータ３０の駆動力が伝達され、第２のリンク機構３２ｂに取り付けられた第２のダンパ２０ｂが、第１のダンパ２０ａの動作と連動して回転軸２３ｂを回転支点に回動して、図１５に示すように第２の吸込口２ｂを開く。
【００９７】
ここで、第１のダンパ２０ａ及び第２のダンパ２０ｂの開く角度を変えることで、第１の吸込口２ａから吸い込まれる空気の量及び第２の吸込口２ｂから吸い込まれる空気の量が増減する。これにより、空調装置１Ａでは、第１のダンパ２０ａ及び第２のダンパ２０ｂの開度を調整することで、浴室１００から吸い込む空気の量が増減し、換気風量が調整される。
【００９８】
さて、空調装置１Ａは、図１２に示すように浴室１００に設置されており、第１の吸込口２ａ及び第２の吸込口２ｂを閉じた状態で、第１のダンパ２０ａと第１の吸込口２ａが当接する部位及び第２のダンパ２０ｂと第２の吸込口２ｂが当接する部位に、水分や入浴剤等が付着する場合がある。
【００９９】
ダンパと吸込口が面で接触していると、入浴剤や水分中のカルシウム成分等でダンパが吸込口に固着してしまい、モータの駆動力でダンパを開けることができなくなってしまうことがある。
【０１００】
ダンパを開けることができないと、ダンパの開閉を検出する開閉センサを備えた構成では、エラーモードへ移行して運転が停止するという問題があった。また、ダンパの開閉を検出する開閉センサを備えていない構成では、ダンパを閉じたまま換気運転が行われ、換気が行なえないという問題があった。
【０１０１】
これに対して、本実施の形態の風量調整装置２では、第１のダンパ２０ａで第１の吸込口２ａを閉じると、第１のダンパ２０ａは、固着防止凸部２７ａに当接するので、第１のダンパ２０ａと第１の吸込口２ａは、面ではなく線で当接した状態となる。
【０１０２】
同様に、第２のダンパ２０ｂで第２の吸込口２ｂを閉じると、第２のダンパ２０ｂは、固着防止凸部２７ｂに当接するので、第２のダンパ２０ｂと第２の吸込口２ｂは、面ではなく線で当接した状態となる。
【０１０３】
これにより、第１のダンパ２０ａと第１の吸込口２ａが当接する部位及び第２のダンパ２０ｂと第２の吸込口２ｂが当接する部位に、水分や入浴剤等が付着しても、第１のダンパ２０ａと第１の吸込口２ａの固着及び第２のダンパ２０ｂと第２の吸込口２ｂの固着が防止される。
【０１０４】
従って、モータ３０の駆動力で、第１のダンパ２０ａ及び第２のダンパ２０ｂを確実に開閉することができ、エラーモードへの移行や、ダンパが開かないことにより浴室１００から換気ができないという問題を解決することができる。
【０１０５】
空調装置１Ａでは、上述したように、空気の吸込口として、第１の吸込口２ａと第２の吸込口２ｂを形成することができ、空気の吸込口を２箇所に備えることが可能となる。
【０１０６】
そして、モータ３０の駆動力を、第１のダンパ２０ａと第２のダンパ２０ｂの双方に伝達する駆動力伝達機構３１を備えることで、ダンパ駆動部３を、第１の吸込口２ａと第２の吸込口２ｂの間に配置することが可能となる。
【０１０７】
これにより、ダンパ駆動部を、吸込口が形成できないような場所に配置することが可能で、ダンパ駆動部の配置及び複数の吸込口の配置の自由度が向上する。従って、ダンパ駆動部で吸込口の開口面積を狭くすることなく、開口面積が大きくとれるような箇所に吸込口を配置することが可能となる。
【０１０８】
＜本実施の形態の風量調整装置及び空調装置の変形例＞
本実施の形態の風量調整装置は、ファンケースの外側に吸込口を形成する空調装置に組み込まれるもので、循環ファンユニットへの空気の吸込口を、循環ファンケースあるいは換気ファンケースの外側に形成するような構成であれば、循環ファンユニットの吸込口に備える構成としても良い。
【０１０９】
また、換気ファンユニットのみ、あるいは循環ファンユニットのみを備えた空調装置に備える構成でも良い。
【０１１０】
更に、ファンケースの外側に空気の吹出口を形成する空調装置であれば、空気の吹出口に備える構成としても良い。空気の吹出口に風量調整装置を備えることで、送風方向を切り換えるルーバとして機能させることも可能である。
【０１１１】
また、循環ファンユニットと換気ファンユニットを上下に重ねて配置する構成で、上側のファンユニットのファンケースに形成される吸込口は、ファンケースの上面でなく下面に形成して、上下のファンケースの間から空気が吸い込まれる構成でも良い。
【０１１２】
本実施の形態の風量調整装置に備える固着防止凸部は、断面形状を三角形としたが、接触面積が狭くなるような形状であれば、他の形状でも良い。また、固着防止凸部を連続した線状に配置したが、点状等の不連続な配置としても良い。更に、固着防止凸部は、ダンパ側に備えても良い。
【０１１３】
本実施の形態の風量調整装置は、２枚のダンパを単一の駆動源で駆動する構成としたが、ダンパ駆動部に２個のモータを収納して、各ダンパ毎に駆動源を備えても良い。これにより、各ダンパが独立して開閉可能となり、一方のダンパを開き、他方のダンパを閉じる等によって、風量の調整が可能となる。
【産業上の利用可能性】
【０１１４】
本発明は、浴室等に設置される換気機能を有した空調装置に適用される。
【図面の簡単な説明】
【０１１５】
【図１】本実施の形態の空調装置の一例を示す斜視図である。
【図２】本実施の形態の空調装置の一例を示す斜視図である。
【図３】本実施の形態の空調装置の一例を示す平面図である。
【図４】本実施の形態の空調装置の一例を示す側断面図である。
【図５】本実施の形態の風量調整装置の一例を示す外観斜視図である。
【図６】本実施の形態の風量調整装置の一例を示す分解斜視図である。
【図７】本実施の形態の風量調整装置の平面図である。
【図８】本実施の形態の風量調整装置のＡ−Ａ断面図である。
【図９】本実施の形態の風量調整装置のＢ−Ｂ断面図である。
【図１０】駆動力伝達機構の詳細を示す構成図である。
【図１１】固着防止凸部の詳細を示す断面図である。
【図１２】空調装置の設置例を示す浴室の構成図である。
【図１３】本実施の形態の空調装置における換気風路を示す動作説明図である。
【図１４】本実施の形態の風量調整装置におけるダンパ開閉の動作説明図である。
【図１５】本実施の形態の風量調整装置におけるダンパ開閉の動作説明図である。
【符号の説明】
【０１１６】
１Ａ・・・空調装置、２・・・風量調整装置、２ａ・・・第１の吸込口、２ｂ・・・第２の吸込口、３・・・ダンパ駆動部、５・・・循環ファンユニット、６・・・換気ファンユニット、７・・・フロントパネル、２０ａ・・・第１のダンパ、２０ｂ・・・第２のダンパ、２３ａ・・・回転軸、２３ｂ・・・回転軸、２７ａ，２７ｂ・・・固着防止凸部、３０・・・モータ、３０ａ・・・軸、３１・・・駆動力伝達機構、３２ａ・・・第１のリンク機構、３２ｂ・・・第２のリンク機構、３３ａ・・・軸部、３３ｂ・・・軸部、３４ａ・・・第１のリンク部、３４ｂ・・・第２のリンク部、３５ａ・・・軸嵌合部、３６・・・Ｏリング、４０・・・シャーシ、４１・・・本体ケース、４２ａ・・・空間、４２ｂ・・・空間、４３ａ・・・第１の吸込風路、４３ｂ・・・第２の吸込風路、５０・・・循環ファンケース、５２・・・吸込口、６０・・・換気ファンケース、６２・・・吸込口、１００・・・浴室
【図１】
2008025950.tif 000003
【図２】
2008025950.tif 000004
【図３】
2008025950.tif 000005
【図４】
2008025950.tif 000006
【図５】
2008025950.tif 000007
【図６】
2008025950.tif 000008
【図７】
2008025950.tif 000009
【図８】
2008025950.tif 000010
【図９】
2008025950.tif 000011
【図１０】
2008025950.tif 000012
【図１１】
2008025950.tif 000013
【図１２】
2008025950.tif 000014
【図１３】
2008025950.tif 000015
【図１４】
2008025950.tif 000016
【図１５】
2008025950.tif 000017